(57)【要約】【課題】コンペンチェーンに起因する騒音の発生を十分に低減することが可能なコンペンチェーン防音装置を提供する。【解決手段】内部空間を有する筐体状のものであって、エレベーター装置に設けられたコンペンチェーンの垂下端が挿入される挿入孔を天面に有し、前記コンペンチェーンの垂下端を前記内部空間に収容する状態で前記エレベーター装置に設置される防音カバーを備えたコンペンチェーン防音装置である。【選択図】図１
2018095349.tif 000002
【特許請求の範囲】
【請求項１】
内部空間を有する筐体状のものであって、エレベーター装置に設けられたコンペンチェーンの垂下端が挿入される挿入孔を天面に有し、前記コンペンチェーンの垂下端を前記内部空間に収容する状態で前記エレベーター装置に設置される防音カバーを備えた
コンペンチェーン防音装置。
【請求項２】
前記コンペンチェーンの垂下端が前記防音カバーにおける内部空間の底面部に接触する高さ位置に前記防音カバーを保持するためのもので、前記コンペンチェーンの垂下端の接触によって前記防音カバーの底面部に加わる下向きの力と釣り合う復元力を有する弾性部材を備えた
請求項１記載のコンペンチェーン防音装置。
【請求項３】
前記防音カバーの底面部に緩衝部材が設けられた
請求項２記載のコンペンチェーン防音装置。
【請求項４】
前記緩衝部材は、潤滑油を含浸している
請求項３記載のコンペンチェーン防音装置。
【請求項５】
前記防音カバーの底面部は、前記コンペンチェーンの垂下端が敷設される円弧状の軌道に沿って前記垂下端を支持する円弧形状に成型されている
請求項２記載のコンペンチェーン防音装置。
【請求項６】
前記弾性部材はバネによって構成された
請求項２記載のコンペンチェーン防音装置。
【請求項７】
前記防音カバーの挿入口に緩衝部材が設けられた
請求項１記載のコンペンチェーン防音装置。
【請求項８】
前記緩衝部材は、潤滑油を含浸している
請求項７記載のコンペンチェーン防音装置。
【請求項９】
内部空間を有する筐体状のものであって、エレベーター装置に設けられたコンペンチェーンの垂下端が挿入される挿入孔を天面に有し、前記コンペンチェーンの垂下端を前記内部空間に収容する状態で前記エレベーター装置に設置される防音カバーと、
前記コンペンチェーンの垂下端が前記防音カバーにおける内部空間の底面部に接触する高さ位置に前記防音カバーを保持するためのもので、前記コンペンチェーンの垂下端の接触によって前記防音カバーの底面部に加わる下向きの力と釣り合う復元力を有するバネによって構成された弾性部材と、
前記防音カバーの底面部および前記防音カバーの挿入口に設けられた緩衝部材とを備え、
前記防音カバーの底面部は、前記コンペンチェーンの垂下端が敷設される円弧状の軌道に沿って前記垂下端を支持する円弧形状に成型され、
前記防音カバーの底面部および前記防音カバーの挿入口に設けられた前記緩衝部材のうちの少なくとも一方は潤滑油を含浸する
コンペンチェーン防音装置。
【請求項１０】
請求項１〜９の何れか１項に記載のコンペンチェーン防音装置を備えた
エレベーター装置。
【発明の詳細な説明】
【技術分野】
【０００１】
本発明はコンペンチェーン防音装置およびエレベーター装置に関する。
【０００２】
本技術分野の背景技術として、特開２００６−２０６１９９号公報（特許文献１）がある。この公報には、「釣合チェーンを上下に通す枠体を備え、…枠体の内周側には、消音用の油を含浸させた油含浸材が取り付けられ、釣合チェーンが動いて前後左右に揺れるときに油含浸材に接触し、油が釣合チェーンを構成するリンク、麻ロープに転移する。枠体の上下開口には、緩衝材が設けられる。」と記載されている。
【０００３】
また、特開２０１０−６４８６３号公報（特許文献２）がある。この公報には、「エレベータの昇降路のピット部にはゲートが設けられ、コンペン索がこのゲートの内側を走行移動する。ゲートにはコンペン索と離間対向してノズルが設けられている。ゲートの近傍には、ノズルに通じるポンプ部を有する給油器が設けられ、ポンプ部を作動させるコントローラが昇降路上方部の機械室に制御盤と並んで設置されている。エレベータの保守点検時などにおいて、乗りかごが最上階から最下階に下降してコンペン索が走行移動する際に、コントローラを操作し、ポンプ部を作動させてノズルからコンペン索に向けて油を噴射し、コンペン索に油を塗布する。」と記載されている。
【先行技術文献】
【特許文献】
【０００４】
【特許文献１】特開２００６−２０６１９９号公報
【特許文献２】特開２０１０−６４８６３号公報
【発明の概要】
【発明が解決しようとする課題】
【０００５】
以上の特許文献１および特許文献２に記載のエレベーター装置では、コンペンチェーンに油を供給することによってチェーンのコマ同士の摩擦音を低減し、またコンペンチェーンに麻ロープを編み込むことでチェーンのコマ同士の衝突音を低減する構成である。しかしながら、このような構成であっても、コンペンチェーンの１コマのサイズが大きくなったり、またエレベーターの走行速度が大きくなることで、コンペンチェーンのコマ同士の衝突エネルギーが大きくなると、衝突音を十分に低減することは困難である。
【０００６】
そこで本発明は、コンペンチェーンに起因する騒音の発生を十分に低減することが可能なコンペンチェーン防音装置、およびこのコンペンチェーン防音装置を備えたエレベーター装置を提供することを目的とする。
【課題を解決するための手段】
【０００７】
このような目的を達成するための本発明は、内部空間を有する筐体状のものであって、エレベーター装置に設けられたコンペンチェーンの垂下端が挿入される挿入孔を天面に有し、前記コンペンチェーンの垂下端を前記内部空間に収容する状態で前記エレベーター装置に設置される防音カバーを備えたコンペンチェーン防音装置である。
【発明の効果】
【０００８】
このような本発明によれば、コンペンチェーンに起因する騒音の発生を十分に低減することが可能である。
【図面の簡単な説明】
【０００９】
【図１】実施形態のエレベーター装置の構成を説明するための概略構成図である。
【図２】実施形態のエレベーター装置に設けられたコンペンチェーンの構成図である。
【図３】実施形態のエレベーター装置に設けられたコンペンチェーン防音装置を説明するための斜視図である。
【図４】実施形態のエレベーター装置に設けられたコンペンチェーン防音装置の要部断面図である。
【図５】実施形態のエレベーター装置に設けられたコンペンチェーン防音装置の動作を説明する図面である。
【図６】実施形態のエレベーター装置に設けられたコンペンチェーン防音装置の他の例を説明するための要部断面図である。
【発明を実施するための形態】
【００１０】
以下、本発明のコンペンチェーン防音装置およびエレベーター装置に関する実施形態を図面に基づいて詳細に説明する。なお、以下に説明する実施形態においては、先ずエレベーター装置の概略構成を説明し、次いでこのエレベーター装置に設けられたコンペンチェーン防音装置の構成を説明する。
【００１１】
≪エレベーター装置の概略構成≫
図１は、実施形態のエレベーター装置１の構成を説明するための概略構成図である。この図に示すエレベーター装置１は、昇降路１ａ、昇降路１ａの上部に設けられた機械室１ｂ、および昇降路１ａの下部に設けられたピット部１ｃを備えている。このうち昇降路１ａ内には、乗りカゴ１１および釣り合い錘１３が収容されている。さらに昇降路１ａ内には、両端に乗りカゴ１１と釣り合い錘１３とを固定した主ロープ１５、および両端を乗りカゴ１１と釣り合い錘１３の下端に固定したコンペンチェーン１７が収容されている。また機械室１ｂ内には、主ロープ１５の中間部が巻掛けられた巻上機１５ａおよびそらせ車１５ｂが収容されている。そしてピット部１ｃ内には、コンペンチェーン１７の垂下端と、コンペンチェーン防音装置２とが収容されている。以下、これらの各構成要素の詳細を説明する。
【００１２】
［昇降路１ａ］
昇降路１ａは、乗りカゴ１１、および乗りカゴ１１と釣り合う釣り合い錘１３とが走行するための通路となる空間であり、建物などの内部を上下方向に貫いて最上階１００ｔから最下階１００ｂとの間に設けられている。昇降路１ａの内壁面には乗りカゴ１１や釣り合い錘１３の昇降を案内するレール（図示省略）が取り付けられている。また昇降路１ａの壁面における各階の高さ位置には、外部に通じるドア１０１が設けられている。
【００１３】
［機械室１ｂ］
機械室１ｂは、昇降路１ａの上部に設けられた空間であり、主ロープ１５が巻掛けられた巻上機１５ａおよびそらせ車１５ｂの他、ここでの図示を省略した乗りカゴ１１を昇降動作させるための駆動制御機器が収容されている。
【００１４】
［ピット部１ｃ］
ピット部１ｃは、昇降路１ａの下部に設けられた空間であり、最下階１００ｂの床面を掘り下げて設けられている。このピット部１ｃ内には、コンペンチェーン１７の垂下端とともに、以降に詳細に説明するコンペンチェーン防音装置２が収容されている。
【００１５】
［乗りカゴ１１］
乗りカゴ１１は、人や荷物を載せるためのものであり、主ロープ１５の一端につり下げられた状態で、昇降路１ａ内に収容されている。この乗りカゴ１１は、昇降路１ａの内壁面に設けられたレールに案内された状態で、昇降路１ａ内を上下方向に昇降する。このような乗りカゴ１１において、昇降路１ａに設けられたドア１０１に対向する側面には、水平方向にスライドして開閉するカゴドア（図示省略）が設けられている。
【００１６】
［釣り合い錘１３］
釣り合い錘１３は、乗りカゴ１１との釣り合いをとるために設けられたものであり、昇降路１ａ内において、乗りカゴ１１と逆側の主ロープ１５の他端につり下げられた状態で収容されている。この釣り合い錘１３は、昇降路１ａの内壁面に設けられたレールに案内された状態で、乗りカゴ１１と逆方向に昇降路１ａ内を上下方向に昇降する。なお、乗りカゴ１１側には、図示しない外部の制御装置と接続するためのケーブルの重量も加算される。
【００１７】
［主ロープ１５］
主ロープ１５は、乗りカゴ１１を吊り下げるためのものであり、乗りカゴ１１の上部に一端を固定し、釣り合い錘１３に他端を固定した状態で設けられている。この主ロープ１５は、中間部分が機械室１ｂ内に設けられた巻上機１５ａおよびそらせ車１５ｂに巻掛けられたことにより昇降路１ａに対して摺動自在に支持され、巻上機１５ａの駆動により、昇降路１ａ内において乗りカゴ１１を自在に昇降させる。
【００１８】
［コンペンチェーン１７］
コンペンチェーン１７は、巻上機１５ａを介しての乗りカゴ１１側と釣り合い錘１３側とにおける主ロープ１５の重量差を補償するものであり、乗りカゴ１１の底部に一端を固定し、釣り合い錘１３の底部に他端を固定した状態で設けられている。
【００１９】
図２は、実施形態のエレベーター装置に設けられたコンペンチェーンの構成図である。この図に示すように、コンペンチェーン１７は、外形小判型のコマ１７ａを連続的に繋いだものである。コマ１７ａは、リンクまたは鎖カンとも称する環状のものであり、例えば鉄にメッキが施されたものである。このようなコマ１７ａを連続的に繋いだコンペンチェーン１７は、コマ１７ａ同士の衝突音を防止するために、各コマ１７ａに対して麻ロープ１７ｂが引き通しされて編み込まれた状態となっている。
【００２０】
以上のような構成のコンペンチェーン１７は、乗りカゴ１１および釣り合い錘１３の底部から垂下された最下部である垂下端において、乗りカゴ１１側から釣り合い錘１３側に徐々に向きを変えて円弧状の軌道で敷設された円弧部１７ｃを有する。この垂下端によって構成される円弧部１７ｃは、ピット部１ｃ内に位置し、ピット部１ｃ内おいて次に説明するコンペンチェーン防音装置２の防音カバー２１内に収容される。
【００２１】
≪コンペンチェーン防音装置２≫
図３は、実施形態のエレベーター装置に設けられたコンペンチェーン防音装置を説明するための要部斜視図である。また図４は、実施形態のエレベーター装置に設けられたコンペンチェーン防音装置の要部断面図であり、図３に示すＢ面の断面図である。これらの図および先の図１に示したコンペンチェーン防音装置２は、コンペンチェーン１７のコマ１７ａ同士の衝突音が外部に漏れることを防止するためのものであり、ピット部１ｃ内に設置されている。
【００２２】
コンペンチェーン防音装置２は、防音カバー２１、防音カバー２１に設けられた緩衝部材２３、防音カバー２１の外部に取り付けられた弾性部材２５、弾性部材２５をピット部１ｃの内壁に対して固定するための固定部材２７を備えている。以下、これらの各構成要素の詳細を説明する。
【００２３】
［防音カバー２１］
防音カバー２１は、ピット部１ｃ内に垂下されているコンペンチェーン１７の垂下端を収容する筐体状のものであり、コンペンチェーン１７の垂下端を収容する状態でエレベーター装置に設置される。このような防音カバー２１は、コマ１７ａ同志の衝突によって生じる周波数帯域に対し、遮音効果を有する材料および吸音効果を有する材料の少なくとも一方を用いて構成されている。このような防音カバー２１の一例として、鉄板や石膏ボードのような遮音材によって構成された外枠の筐体内に、グラスウールやロックウールのような吸音材を内張した構成が例示される。また、必要に応じて、さらに外周壁に遮音シートを貼り合わせた構成であってもよい。
【００２４】
また防音カバー２１は、その天面Ａにコンペンチェーン１７が挿入される２つの挿入孔２１ａを備えている。これらの挿入孔２１ａは、乗りカゴ１１から垂下されたコンペンチェーン１７と釣り合い錘１３から垂下されたコンペンチェーン１７の間隔に合わせて配置されている。また、これらの挿入孔２１ａは、コンペンチェーン１７の動作を妨げることの無い範囲で可能な限り小さな径を有し、挿入孔２１ａからの音漏れを最小限に抑えている。さらに防音カバー２１の内部空間２１ｂは、防音効果の高い形状であることが好ましい。
【００２５】
そして特に、防音カバー２１における内部空間２１ｂの底面部２１ｃは、コンペンチェーン１７の垂下端である円弧部１７ｃを支持する部分として、円弧部１７ｃの外形形状に一致させた円弧形状に成形されていることとする。このような底面部２１ｃの円弧形状は、乗りカゴ１１から垂下されたコンペンチェーン１７から、釣り合い錘１３から垂下されたコンペンチェーン１７までの外側の幅を直径Ｒとした円弧形状である。これにより、防音カバー２１の内部において、防音カバー２１の底面部２１ｃに支持された状態のコンペンチェーン１７の円弧部１７ｃは、外形小判型の各コマ１７ａの向きの変化量が均等に維持される構成となっている。
【００２６】
［緩衝部材２３］
緩衝部材２３は、防音カバー２１に設けられたものであって、特に防音カバー２１においてコンペンチェーン１７が接触する部分に設けられ、防音カバー２１の一部を構成している。このような緩衝部材２３は、挿入孔２１ａに設けられた緩衝部材２３ａと、防音カバー２１内の円弧状の底面部２１ｃに設けられた緩衝部材２３ｃとである。このような緩衝部材２３ａ，２３ｃにより、コンペンチェーン１７に揺れが発生した場合であっても、防音カバー２１とコンペンチェーン１７との接触による騒音の発生を防止する。
【００２７】
これらの緩衝部材２３ａ，２３ｃは、例えばゴムやスポンジのような弾性変形するものが好ましく用いられる。また、緩衝部材２３ａ，２３ｃのうちの少なくとも一方は、多孔性材料で構成され、潤滑油を含浸させて用いられていることが好ましい。これによりコンペンチェーン１７およびコンペンチェーン１７に引き通された麻ロープ１７ｂに対して、潤滑油が供給され、コマ１７ａ同士の接触による摩擦音を防止する構成となっている。なお、防音カバー２１を構成する吸音材が緩衝機能を有する場合であれば、この吸音材を緩衝部材２３ａ，２３ｃとして用いてもよい。
【００２８】
［弾性部材２５］
弾性部材２５は、防音カバー２１とピット部１ｃの内壁との間に固定され、コンペンチェーン１７の垂下端が防音カバー２１の底面部２１ｃに接触する高さ位置に、防音カバー２１を保持する。このような弾性部材２５は、防音カバー２１に加わる下向きの力Ｆに対して釣り合う復元力Ｆ’を有する。ここで、防音カバー２１に加わる下向きの力Ｆは、コンペンチェーン１７の円弧部１７ｃが防音カバー２１の底面部２１ｃに接触してこれを押す力と、防音カバー２１の自重による力の合力である。弾性部材２５は、このような下向きの力Ｆと釣り合う復元力Ｆ’を有し、コンペンチェーン１７の垂下端である円弧部１７ｃが、底面部２１ｃによって支持された状態で、円弧部１７ｃの軌道を保持する構成となっている。
【００２９】
このような弾性部材２５の一例として、ピット部１ｃの内部に防音カバー２１を吊り下げる状態で設けた引っ張りバネやゴムが例示される。この場合、ピット部１ｃの内部において防音カバー２１を傾けることなく吊り下げるように設けた、２本またはそれ以上の複数本の引っ張りバネまたはゴムが弾性部材２５として用いられる。ここでは、弾性部材２５として用いた２つの引っ張りバネによって、防音カバー２１がピット部１ｃ内に吊り下げられた状態となっていることとし、２つの引っ張りバネの合計の復元力Ｆ’が、下向きの力Ｆと釣り合う構成である。
【００３０】
図５は、実施形態のエレベーター装置に設けられたコンペンチェーン防音装置の動作を説明する図面である。図５中、上段（１）行の図は、コンペンチェーン防音装置２を設けていない場合のコンペンチェーン１７の円弧部１７ｃの軌道を示している。また図５中、下段（２）行の図は、コンペンチェーン防音装置２を設けた場合のコンペンチェーン１７の円弧部１７ｃの軌道を示している。
【００３１】
さらに図５中、左側（ａ）列の図は、麻ロープ１７ｂに劣化がなく環境の湿度が標準の状態で、上段（１）行の図に示すように円弧部１７ｃが標準高さＨにある場合のコンペンチェーン１７の軌道を示している。この状態においてコンペンチェーン１７の円弧部１７ｃは、直径Ｒに沿った円弧状の軌道に敷設された状態となる。
【００３２】
また図５中、中央（ｂ）列の図は、麻ロープ１７ｂが劣化した場合あるいは環境の湿度が標準よりも低くなった状態で、上段（１）行の図に示すように麻ロープ１７ｂが伸びて円弧部１７ｃが標準高さＨよりも低く位置している場合のコンペンチェーン１７の軌道を示している。この状態においてコンペンチェーン１７の円弧部１７ｃは、直径Ｒよりも小さい径の軌道で敷設された状態となり、最下部においては、コマ１７ａの向きが急激に変化した状態となる。
【００３３】
そして図５中、右側（ｃ）列の図は、麻ロープ１７ｂに劣化はなく環境の湿度が標準よりも高くなった状態で、上段（１）行の図に示すように麻ロープ１７ｂが縮んで円弧部１７ｃが標準高さＨよりも高く位置している場合のコンペンチェーン１７の軌道を示している。
【００３４】
以上のような図５中、上段（１）行の（ａ）〜（ｃ）列の図に示すように、コンペンチェーン１７は、麻ロープ１７ｂの伸び縮みによって、円弧部１７ｃの高さ位置および軌道が変化する。そして、図５中、下段（２）行の（ａ）〜（ｃ）列の図に示すように、弾性部材２５は、上述した円弧部１７ｃの高さ位置および軌道の変化によって防音カバー２１に加わる下向きの力Ｆが変化した場合に、これに釣り合う復元力Ｆ’により、コンペンチェーン１７の円弧部１７ｃを防音カバー２１内の円弧状の底面部２１ｃに沿うように支持する。
【００３５】
［固定部材２７］
固定部材２７は、弾性部材２５を介して、ピット部１ｃの内部に防音カバー２１を取り付けるための部材である。このような固定部材２７は、例えば図示したようにピット部１ｃの内壁から突出させた状態で設けられ、その先端に弾性部材２５を介して防音カバー２１が吊り下げられる。これにより、ピット部１ｃの床面を利用できない場合であっても、弾性部材２５をピット部１ｃに対して固定することができる。
【００３６】
なお、固定部材２７は、図１に示したように、ピット部１ｃ内に弾性部材２５を介して防音カバー２１を吊り下げることができればよく、乗りカゴ１１および釣り合い錘１３の走行に影響のない範囲であれば、その固定状態および固定箇所が限定されることはない。例えば、固定部材２７は、昇降路１ａの内壁に固定されたものであってもよく、またピット部１ｃの床面を利用可能であればピット部１ｃの底面に固定されピット部１ｃの底面から立ち上げて設けられたものであってもよい。
【００３７】
≪実施形態の効果≫
以上のような構成のコンペンチェーン防音装置２及びこれを用いたエレベーター装置１によれば、防音カバー２１内にコンペンチェーン１７の垂下端を収容することにより、コンペンチェーン１７が垂下端において向きを変えることで発生するコマ１７ａ同士の摩擦音や衝突音を防音カバー２１内に閉じ込めることができる。これにより、コンペンチェーン１７に起因する騒音の発生を十分に防止することが可能になる。
【００３８】
またピット部１ｃの内壁に対して弾性部材２５を介して防音カバー２１を固定したことにより、コンペンチェーン１７の垂下端である円弧部１７ｃが、その円弧形状の軌道を保ち易い構成となっている。これにより、コンペンチェーン１７の円弧部１７ｃが、その方向を急激に変化させることのない円弧形状に保持され易く、急激な方向の変化によって生じるコマ１７ａ同士の衝突音の発生自体を防止することができる。また弾性部材２５を設けたことにより防音カバー２１のサイズを最小限に小型化することができる。
【００３９】
さらに、防音カバー２１の底面部２１ｃを、コンペンチェーン１７の円弧部１７ｃの軌道に沿った円弧形状としたことにより、この底面部２１ｃによって支持されるコンペンチェーン１７の円弧部１７ｃの軌道を円弧形状に保つことができる。これにより、上述したコマ１７ａ同士の衝突音の発生自体を、さらに確実に防止することができる。
【００４０】
≪変形例のコンペンチェーン防音装置２’≫
図６は、実施形態のエレベーター装置に設けられたコンペンチェーン防音装置の他の例を説明するための要部断面図である。この図に示すコンペンチェーン防音装置２’が、先に説明したコンペンチェーン防音装置２と異なるところは、弾性部材２５’の構成にある。その他の構成要素は同様であるため、ここでは弾性部材２５’の構成を説明し、その他の同様の構成要素の重複する説明は省略する。
【００４１】
［弾性部材２５’］
この図に示す弾性部材２５’は、防音カバー２１を下方から支持する状態で設けられたものである。この弾性部材２５’は、防音カバー２１とピット部１ｃの内壁との間に固定され、防音カバー２１に加わる下向きの力Ｆに対して釣り合う復元力Ｆ’を有することは、先の説明と同様である。また防音カバー２１に加わる下向きの力Ｆは、コンペンチェーン１７の円弧部１７ｃが防音カバー２１の底面部２１ｃを押す力と、防音カバー２１の自重による力の合力であることも、先の説明と同様である。
【００４２】
このような弾性部材２５’の一例として、ピット部１ｃの内部において、防音カバー２１を下方から支持する状態で設けられた圧縮バネや油圧バッファ装置が例示される。この場合、ピット部１ｃの内部において防音カバー２１を傾けることなく持ち上げるように、弾性部材２５’として、圧縮バネや油圧バッファ装置がピット部１ｃの底部に固定して設けられる。ここでは、例えば、防音カバー２１を底面側から支持する状態で設けられた２つの圧縮バネが、弾性部材２５’として設けられていることとし、２つの圧縮バネの合計の復元力Ｆ’が、下向きの力Ｆと釣り合う構成である。
【００４３】
そして先に図５を用いて説明したように、弾性部材２５’は、上述した円弧部１７ｃの高さ位置および軌道の変化により、防音カバー２１に加わる下向きの力Ｆが変化した場合に、これに釣り合う復元力Ｆ’により、コンペンチェーン１７の円弧部１７ｃを防音カバー２１内の円弧状の底面部２１ｃに沿うように支持する。
【００４４】
≪変形例の効果≫
以上のような構成のコンペンチェーン防音装置２’およびこれを用いたエレベーター装置であっても、図４に示したコンペンチェーン防音装置２を用いた場合と同様の効果を得ることができる。またこの構成であれば、支持部材を設けることなく、ピット部１ｃの床に弾性部材２５’を固定することができるため、より簡便な構成のコンペンチェーン防音装置２’とすることが可能である。
【符号の説明】
【００４５】
１…エレベーター装置
２，２’…コンペンチェーン防音装置
１１…乗りカゴ
１３…釣り合い錘
１７…コンペンチェーン
１７ｃ…円弧部（垂下端）
２１ａ…挿入孔
２１…防音カバー
２１ｃ…底面部
２５，２５’…弾性部材
２３，２３ａ，２３ｃ…緩衝部材
Ａ…天面
Ｆ…下向きの力
Ｆ’…復元力
【図１】
2018095349.tif 000003
【図２】
2018095349.tif 000004
【図３】
2018095349.tif 000005
【図４】
2018095349.tif 000006
【図５】
2018095349.tif 000007
【図６】
2018095349.tif 000008